(57)【要約】【課題】極めて簡単な構成で、異常の発生原因を特定できるようにする。【解決手段】液体移送管Ｌａと、ポンプＰと、根元管部Ｌｂ１の基端にポンプＰが接続され、枝管部Ｌｂ２の先端に各箇所がそれぞれ接続された気体移送管Ｌｂと、根元管部Ｌｂ１内の圧力を測定する圧力センサ７１と、圧力センサ７１が測定した圧力の時系列変化を示す実圧力データを記録する実圧力データ記録部８３と、圧力の基準となる時系列変化を示す基準圧力データを記憶している基準圧力データ記憶部８４と、実圧力データと基準圧力データとを比較可能に出力する比較出力部８５とを備えるようにした。【選択図】図４
2015025794.tif 000002
【特許請求の範囲】
【請求項１】
サンプル液を複数の箇所に移送する一連の工程を経て該サンプル液を分析する液体分析装置において、
前記サンプル液を移送するための圧力を発生するポンプと、
一端が前記ポンプに接続された根元管部及び該根元管部の他端から分岐して前記各箇所に接続された複数の枝管部から構成された気体移送管と、
前記根元管部内の圧力を測定する圧力センサと、
前記箇所の内部圧力を前記気体移送管の圧力を制御することによって変化させ、前記サンプル液を液体移送管を通じて一の箇所から他の箇所へ移送する制御部と、
前記一連の工程中の所定期間において、前記圧力センサが測定した圧力の時系列変化を示す実圧力データを記録する実圧力データ記録部と、
前記圧力の基準となる時系列変化を示す基準圧力データを記憶している基準圧力データ記憶部と、
前記実圧力データと基準圧力データとを比較可能に出力する比較出力部とを備えていることを特徴とする液体分析装置。
【請求項２】
前記液体移送管または前記気体移送管に設けられた１以上のバルブを更に具備し、
前記制御部が、前記箇所の内部圧力を前記バルブの開閉制御によって変化させ、前記サンプル液を前記液体移送管を通じて一の箇所から他の箇所へ移送することを特徴とする請求項１記載の液体分析装置。
【請求項３】
前記工程として、一定量のサンプル液を所定の箇所に移送するサンプル注入ステップと、一定量の分析用液を前記所定の箇所と同じまたは異なる箇所に移送する分析用液注入ステップと、前記一定量のサンプル液と一定量の分析用液とを前記所定の箇所と同じまたは異なる箇所に移送して混合する混合ステップとが少なくとも設定してある請求項１又は２記載の分析装置。
【請求項４】
前記混合ステップによって混合したサンプル液と分析用液とが反応して生成される最終液を計測して、サンプル液の分析を行う分析部をさらに備えている請求項３記載の分析装置。
【請求項５】
前記制御部が、前記各バルブを閉じた状態で前記ポンプによって所定の圧力を印加し、その後、前記各バルブを順次開閉する検査工程を行うものであって、
前記検査工程中の実圧力データを出力する検査出力部をさらに備えている請求項２乃至４のうち何れか一項に記載の分析装置。
【発明の詳細な説明】
【技術分野】
【０００１】
本発明は、水質等を分析する液体分析装置に関するものである。
【背景技術】
【０００２】
この種の液体分析装置としては、特許文献１に示すように、分析対象となるサンプル液を一定量取得し、そのサンプル液に希釈液や反応液などの複数の分析用液を一定量ずつ加えて混合し、加熱などして反応させるといった一連の工程を行って最終液を生成し、その最終液の例えば吸光度を測定することによって、サンプル液中の例えばリンや窒素などの所定成分濃度を自動計測するものが知られている。
そして、前記一連の工程を行うために、このような液体分析装置においては、サンプル液や各分析用液を貯留したり反応させたりするための種々の計量管やセル等（以下、液貯留部材とも言う。）と、それら液貯留部材間に設けられてサンプル液や分析用液を流通させる液体移送管と、液貯留部材や液体移送管の圧力を変化させて、所望の液貯留部材にサンプル液や分析用液を送る圧力調整機構とが設けられている。
【０００３】
この圧力調整機構は、例えば、液貯留部材や液体移送管に接続された気体移送管と、この気体移送管の基端に接続されたポンプと、前記気体移送管や液体移送管に設けられた複数のバルブとからなるものであり、前記バルブを開閉制御することによって、所望の液貯留部材や液体移送管の圧力を正圧または負圧に変化させ、一の液貯留部材から他の液貯留部材にサンプル液や分析用液を送ることができるようにしてある。
【先行技術文献】
【特許文献】
【０００４】
【特許文献１】特開２００５−２０４５７８号公報
【発明の概要】
【発明が解決しようとする課題】
【０００５】
しかしながら、上述の構成では、配管漏れ、配管詰まり、バルブ不良、ポンプの劣化等により、液体の移送等に何らかの異常が発生しても、その原因を特定することが難しい。もちろん、種々のセンサを異常発生可能箇所にそれぞれ設ければ、異常原因の特定は可能であろうが、そうすると、部品や価格、組み立て工数の増大などが新たな問題として浮上する。
【０００６】
そこで本発明は、上記問題点を解決すべくなされたものであって、この種の液体分析装置において、極めて簡単な構成で、異常の発生原因を特定できるようにすることをその主たる課題とするものである。
【課題を解決するための手段】
【０００７】
すなわち本発明に係る液体分析装置は、サンプル液を複数の箇所に移送する一連の工程を経て該サンプル液を分析する液体分析装置において、前記サンプル液を移送するための圧力を発生するポンプと、一端が前記ポンプに接続された根元管部及び該根元管部の他端から分岐して前記各箇所に接続された複数の枝管部から構成された気体移送管と、前記根元管部内の圧力を測定する圧力センサと、前記箇所の内部圧力を前記気体移送管の圧力を制御することによって変化させ、前記サンプル液を液体移送管を通じて一の箇所から他の箇所へ移送する制御部と、前記一連の工程中の所定期間において、前記圧力センサが測定した圧力の時系列変化を示す実圧力データを記録する実圧力データ記録部と、前記圧力の基準となる時系列変化を示す基準圧力データを記憶している基準圧力データ記憶部と、前記実圧力データと基準圧力データとを比較可能に出力する比較出力部とを備えているものであることを特徴とするものである。
【０００８】
このような液体分析装置であれば、実圧力データと基準圧力データとを比較可能に出力するので、これらを比較するだけで実圧力データと基準圧力データとのずれから液体移送管や気体移送管等に生じた異常の発生原因を簡単に特定することができる。
具体的に、例えば、配管漏れ、配管詰まり、ポンプの劣化等は、ずれの生じている期間やずれの大きさ等から特定することができる。
【０００９】
さらに、実圧力データは、気体移送管の根元管部に設けられた圧力センサから得られるので、種々のセンサを異常発生可能箇所にそれぞれ設けることなく、極めて簡単な構成で異常の発生原因を特定することができる。
【００１０】
バルブの不具合により異常が発生している場合でも、極めて簡単な構成で異常の発生原因を特定するためには、前記液体移送管または前記気体移送管に設けられた１以上のバルブを更に具備し、前記制御部が、前記箇所の内部圧力を前記バルブの開閉制御によって変化させ、前記サンプル液を前記液体移送管を通じて一の箇所から他の箇所へ移送するものが好ましい。
【００１１】
具体的な実施態様としては、前記工程として、一定量のサンプル液を所定の箇所に移送するサンプル注入ステップと、一定量の分析用液を前記所定の箇所と同じまたは異なる箇所に移送する分析用液注入ステップと、前記一定量のサンプル液と一定量の分析用液とを前記所定の箇所と同じまたは異なる箇所に移送して混合する混合ステップとが少なくとも設定してあるもが挙げられる。
【００１２】
分析の自動化を図るためには、前記混合ステップによって混合したサンプル液と分析用液とが反応して生成される最終液を計測して、サンプル液の分析を行う分析部をさらに備えているものが好ましい。
【００１３】
異常の発生原因を自動で特定するためには、前記制御部が、前記各バルブを閉じた状態で前記ポンプによって所定の圧力を印加し、その後、各バルブを順次開閉する検査工程を行うものであって、前記検査工程中の実圧力データを出力する検査出力部をさらに備えているものが好ましい。
【発明の効果】
【００１４】
このように構成した本発明によれば、極めて簡単な構成で、異常の発生原因を特定できる。
【図面の簡単な説明】
【００１５】
【図１】第１実施形態の液体分析装置の全体構成を模式的に示す図。
【図２】同実施形態の制御装置の機能を示す機能ブロック図。
【図３】同実施形態の制御部により行われる一連の工程を説明するフローチャート。
【図４】同実施形態の正常時及び異常時における圧力計の出力値を示すグラフ。
【発明を実施するための形態】
【００１６】
以下に本発明に係る液体分析装置１００の第１実施形態について図面を参照して説明する。
【００１７】
本実施形態に係る液体分析装置１００は、例えば下水等の水質を分析するために用いられるものであり、本実施形態では、サンプル液中の窒素濃度及びリン濃度を測定するものである。
【００１８】
より具体的に、この液体分析装置１００は、図１に示すように、サンプル液計量機器１、希釈液計量機器２、窒素測定用試薬計量機器３、リン測定用試薬計量機器４、窒素測定セル５、リン測定セル６、及び圧力調整機構７を有する液送回路１０１と、情報処理装置１０２とを具備するものであり、液送回路１０１の所定の箇所には、液体を貯留したり反応させたりするための種々の貯留槽や計量管やセル等の液貯留部材が設けれられている。
なお、図１において、各箇所を接続する実線は、液体が流れる配管を示しており、点線は、気体が流れる配管を示している。
【００１９】
サンプル液計量機器１は、サンプル液を所定の濃度に希釈し、希釈後の希釈サンプル液を一定量計量するものである。
具体的にこのサンプル液計量機器１は、サンプル液が貯留されるサンプル貯留槽１１と、サンプル貯留槽１１から一定量のサンプル液が供給されるとともに、一定量の希釈液が供給される希釈セル１２と、希釈セル１２で所定の濃度に希釈された希釈サンプル液が供給されて、この希釈サンプル液を一定量計量するサンプル計量セル１３と、サンプル貯留槽１１、希釈セル１２、サンプル計量セル１３、窒素測定セル５、及びリン測定セル６の間に設けられて各種液体を移送させる液体移送管Ｌａ１と、各液体移送管Ｌａ１に設けられたバルブＢ１とを備えるものである。
なお、本実施形態のサンプル液計量機器１は、塩酸等の洗浄体を貯留する洗浄液貯留槽１４と、校正液を貯留する校正液貯留槽１５と、これらの貯留槽１４、１５及び希釈セル１２の間に設けられた液体移送管Ｌａ１とを更に備え、これらの洗浄液及び校正液を希釈セル１２に供給できるように構成されている。
【００２０】
希釈液計量機器２は、本実施形態では、希釈液である純水を一定量計量するものであり、純水を貯留する純水貯留槽２１と、純水貯留槽２１から純水が供給されて、純水を一定量計量する純水計量セル２２と、純水貯留槽２１、純水計量セル２２、及び希釈セル１２の間に設けられて純水を移送する液体移送管Ｌａ２と、各液体移送管Ｌａ２に設けられたバルブＢ２とを備えるものである。
【００２１】
窒素測定用試薬計量機器３は、サンプル液中の窒素濃度を測定するために用いられる試薬を一定量計量するものであり、本実施形態では、水酸化ナトリウム、ペルオキソ二硫酸カリウム、及び塩酸をそれぞれ収容する試薬容器３１と、各試薬を所定量計量する試薬計量管３２と、計量時に一時的に各試薬を貯留する試薬貯留槽３３と、各試薬計量管３２及び窒素測定セル５の間に設けれて各試薬を移送する液体移送管Ｌａ３と、液体移送管Ｌａ３に設けられたバルブＢ３とを備えるものである。
【００２２】
リン測定用試薬計量機器４は、サンプル液中のリン濃度を測定するために用いられる試薬を一定量計量するものであり、本実施形態では、硫酸、ペルオキソ二硫酸カリウム、アスコルビン酸、及びモリブデン酸アンモニウムをそれぞれ収容する試薬容器４１と、各試薬を所定量計量する試薬計量管４２と、計量時に一時的に各試薬を貯留する試薬貯留槽４３と、各試薬計量管４２及びリン測定セル６の間に設けれて各試薬を移送する液体移送管Ｌａ４と、液体移送管Ｌａ４に設けられたバルブＢ４とを備えるものである。
【００２３】
なお、本実施形態では、ペルオキソ二硫酸カリウムを収容する試薬容器３１、４１と、試薬計量管３２、４２と、試薬貯留槽３３、４３とはそれぞれ窒素測定用試薬計量機器３及びリン測定用試薬計量機器４のいずれにも兼用して用いられるものである。
【００２４】
窒素測定セル５及びリン測定セル６は、希釈サンプル液及び試薬が供給されてこれらを混合し、種々の化学反応を起こして最終液を生成するものである。
【００２５】
なお、本実施形態では、各測定セル５、６内で計測された最終液は、廃液槽９に送られるように構成されている。
【００２６】
圧力調整機構７は、希釈セル１２、各計量セル１３、２２、各試薬貯留槽３３、４３、及び各測定セル５、６の内部圧力を正圧又は負圧に調整して、各種液体を一の箇所から他の箇所へ移送するものである。
【００２７】
本実施形態では、前記一の箇所としては、各貯留槽１１、１４、１５、２１と、希釈セル１２と、各計量セル１３、２２と、各試薬容器３１、４１と、各試薬貯留槽３３、４３と、各測定セル５、６が挙げられ、前記他の箇所としては、希釈セル１２と、各計量セル１３、２２と、各試薬貯留槽３３、４３と、各測定セル５、６と、廃液槽９が挙げられる。
【００２８】
具体的に圧力調整機構７は、各種液体を移送するための圧力を発生するポンプＰと、このポンプＰに接続された気体移送管Ｌｂと、気体移送管Ｌｂに設けられた複数のバルブＢ５とを備えるものである。
【００２９】
前記気体移送管Ｌｂは、一端にポンプＰが接続された根元管部Ｌｂ１と、根元管部Ｌｂ１の他端に分岐点を介して流体的に接続された複数の枝管部Ｌｂ２とから構成されている。より詳細には、根元管部Ｌｂ１は、前記分岐点のうち最もポンプＰ側に位置する分岐点とポンプＰとを接続している。各枝管部Ｌｂ２の先端は、それぞれ希釈セル１２、各計量セル１３、２２、各試薬貯留槽３３、４３、各測定セル５、６、廃液槽９に接続されている。また、各分岐点には、複数のバルブＢ５が設けられている。
【００３０】
本実施形態の根元管部Ｌｂ１には、複数のバルブＢ５１が設けられており、該バルブＢ５１が切り替わることで、ポンプＰが空気を圧送する状態とポンプＰが空気を吸引する状態とに切り替わり、気体移送管Ｌｂに正圧又は負圧を印加するように構成されている。なお、本実施形態では、気体移送管Ｌｂ内を大気圧にできるようにも構成されている。
【００３１】
このように構成された圧力調整機構７が、前記液送回路１０１の所定箇所、すなわち、希釈セル１２、各計量セル１３、２２、及び各試薬貯留槽３３、４３の内部圧力を正圧又は負圧に調整することで、各種液体の計量が行われ、一定量の各種液体を一の箇所から他の箇所へ供給可能な状態になる。
【００３２】
なお、各種液体を計量する方式は、本実施形態では、下記の２通りであり、希釈セル１２、サンプル計量セル１３及び純水計量セル２２は、下記の第１方式を用いており、試薬計量管３２、４２は、下記の第２方式を用いている。
【００３３】
以下に、図１を参照して、第１方式及び第２方式について説明する。なお、以下では、説明の理解容易のため、液体移送管Ｌａ１、Ｌａ２、Ｌａ３、Ｌａ４を区別しない場合は、液体移送管Ｌａと記載する。
【００３４】
＜第１方式＞
第１方式を用いる希釈セル１２、サンプル計量セル１３及び純水計量セル２２は、セル内が密閉されており、上面から内部空間に気体移送管Ｌｂ及び液体移送管Ｌａが差し込まれるとともに、下面には、当該セルと別の箇所とを連通する液体移送管Ｌａが設けられている。上面から差し込まれた液体移送管Ｌａの下端部は、気体移送管Ｌｂの下端部よりも下方に位置している。
この構成において、上面に設けられた液体移送管Ｌａからセル内に液体が供給され、液面が上面に設けられた液体移送管Ｌａの下端部より上方に位置した状態で液体の供給を止める。続いて、圧力調整機構７が気体移送管Ｌｂを介してセルに正圧を印加し、セル内の液面を上面に設けられた液体移送管Ｌａの下端部まで下げる。この状態で、セルには、所定量の液体、つまり、セルの底面から上面に設けられた液体移送管Ｌａの下端部までの液体が貯留される。この貯留された液体を下面に設けられた液体移送管Ｌａから別の箇所へ移送することで、一定量の液体を供給することが可能となる。
なお、前記所定量は、上面に設けられた液体移送管Ｌａの下端部の位置に応じて設定されている。
【００３５】
＜第２方式＞
第２方式を用いる試薬計量管３２、４２は、一端が試薬容器３１、４１に差し込まれるとともに、他端が試薬貯留槽３３、４３内に差し込まれており、試薬容器３１、４１と試薬貯留槽３３、４３との間にバルブＢ３１、Ｂ４１が取り付けられている。なお、本実施形態では、このバルブＢ３１、Ｂ４１は例えば三方電磁弁である。
この構成において、試薬計量管３２、４２が試薬容器３１、４１と試薬貯留槽３３、４３と連通するようにバルブＢ３１、Ｂ４１を開いた状態で、圧力調整機構７が気体移送管Ｌｂを介して試薬貯蓄槽３３、４３に負圧を印加して、試薬容器３１、４１から試薬貯留槽３３、４３へ試薬を移送させる。このとき、試薬は試薬計量管３２、４２から溢れるように試薬貯留槽３３、４３内に流入する。この状態で、バルブＢ３１、Ｂ４１を閉じると、試薬計量管３２、４２内には、バルブＢ３１、Ｂ４１と試薬計量管３２、４２の上端部との間に一定量の試薬が残留する。つまり、この残留した試薬は所定量となり、この試薬をバルブＢ３１、Ｂ４１を切り替えることにより測定セル５、６へ移送することで、一定量の試薬を供給することが可能となる。
なお、前記所定量は、試薬計量管３２、４２の長さに応じて設定されている。
【００３６】
しかして、本実施形態の圧力調整機構７は、気体移送管Ｌｂの根元管部Ｌｂ１に圧力センサ７１が設けられており、この圧力センサ７１は、ポンプＰから圧送された直後の空気又はポンプＰへ吸引される直前の空気により気体移送管Ｌｂの根元管部Ｌｂ１に生じる内圧を測定するものである。
【００３７】
続いて、情報処理装置１０２について説明する。
【００３８】
なお、以下では、理解容易のため、バルブＢ１、Ｂ２、Ｂ３、Ｂ３１、Ｂ４、Ｂ４１、Ｂ５、Ｂ５１を区別しない場合は、バルブＢと記載する。
【００３９】
情報処理装置１０２は、ＣＰＵ、内部メモリ、Ｉ／Ｏバッファ回路、ＡＤコンバータ等を有した所謂コンピュータ回路であり、内部メモリの所定領域に格納したプログラムに従って動作することで情報処理を行い、図２に示すように、後述する制御部８１、分析部８２、実圧力データ記録部８３、基準圧力データ記憶部８４、比較出力部８５としての機能を発揮するものである。
【００４０】
以下、各部について説明する。
【００４１】
制御部８１は、ポンプＰを制御するとともに、気体移送管Ｌｂ及び液体移送管Ｌａに設けられた各バルブＢの開閉制御することにより各箇所の内部圧力を変化させ、液体移送管Ｌａを通じて一の箇所から他の箇所へ各種液体を移送するものである。
【００４２】
本実施形態の制御部８１は、サンプル液及び該サンプル液を分析するために用いられる分析用液（希釈液、試薬等）を複数の箇所に移送する一連の工程を制御する。
【００４３】
一連の工程とは、本実施形態では、図３に示すように、一定量のサンプル液を希釈セル１２に移送するサンプル注入ステップと、一定量の希釈液を希釈セル１２に移送する希釈液注入ステップと、希釈セル１２で希釈された希釈サンプル液をサンプル計量セル１３に移送する計量ステップと、一定量の希釈サンプル液及び一定量の試薬を窒素測定セル５又はリン測定セル６に移送して混合する混合ステップと、一定量の試薬を窒素測定セル５又はリン測定セル６に移送して混合ステップによって生成された混合液と化学反応を起こさせる化学反応ステップと、後述の分析部８２が化学反応ステップによって生成した最終液を分析した後、最終液を廃液槽９へ移送する廃液ステップとである。
【００４４】
分析部８２は、加熱器、紫外線照射器、光源、光検出器等を具備した処理機構（図示しない）に処理信号を送信して、前記混合液を加水分解、加熱、及び紫外線照射するとともに、前記最終液に含まれる窒素量及びリン量を計測して、サンプル液の分析を行うものである。
【００４５】
より具体的には、本実施形態の分析部８２は、例えば吸光度測定法を用いてサンプル液を分析するものであり、光源から測定セル５、６へ光を照射して光検出器で検出される透過光の光検出信号を受信し、その光検出信号に基づいて最終液に含まれる窒素濃度及びリン濃度を算出するように構成されている。
【００４６】
実圧力データ記録部８３は、圧力センサ７１からの信号を受信して、前述した一連の工程中の所定期間において、圧力センサ７１で検出された根元管部Ｌｂ１における内部圧力の時系列変化を示す実圧力データを所定の内部メモリに記録するものである。本実施形態では、分析を開始した時から全工程を終了した時までの実圧力データを連続して記録するように構成されている。
【００４７】
基準圧力データ記憶部８４は、根元管部Ｌｂ１の圧力の基準となる時系列データを示す基準圧力データを記憶しているものであり、本実施形態では、前述した一連の工程を複数回繰り返し行った期間の基準圧力データを記憶しているものである。
なお、基準圧力データは、正常状態の装置が一連の工程を行った際に圧力センサ７１により取得された過去のものであっても良い。
【００４８】
比較出力部８５は、前記実圧力データ記録部８３及び前記基準圧力データ記憶部８４からの信号を受信して、実圧力データと基準圧力データとを比較可能に出力するものであり、本実施形態では、例えば、実圧力データ及び基準圧力データを例えば同一のディスプレイ上で画面を切り替えることで比較可能に出力するように構成されている。
なお、比較出力部８５が、ディスプレイ等に実圧力データ及び基準圧力データを同時に表示するように構成されていても良い。
【００４９】
より詳細には、比較出力部８５は、図４に示すように、基準圧力データ及び実圧力データを横軸が測定時間を示し、縦軸が圧力値を示す同一のグラフ上に表示させるものである。
【００５０】
本実施形態では、前記グラフ上に表示される基準圧力データと実圧力データとは、表示形態が異なるように設定されており、本実施形態では、基準圧力データを破線で表示し、実圧力データを実線で表示するように設定されている。
【００５１】
なお、図４に示すグラフにおいて、測定範囲Ａはサンプル注入ステップ及び希釈液注入ステップでの圧力変化を示し、測定範囲Ｂは計量ステップでの圧力変化を示し、測定範囲Ｃは混合ステップから分析終了時までの圧力変化を示し、測定範囲Ｄは廃液ステップでの圧力変化を示している。
【００５２】
図４の領域ａ及び領域ｂに示すように、サンプル液を移送するための液体移送管Ｌａが抜けている場合、この液体移送管Ｌａが用いられるサンプル注入ステップ及び希釈液注入ステップにおいて、正常時を示す基準圧力データと実圧力データとにずれが生じていることが分かる。
【００５３】
このように構成された本実施形態に係る液体分析装置１００によれば、比較出力部８５が、実圧力データとその基準圧力データとを比較可能に出力するので、実圧力データと基準圧力データとのずれから液体分析装置１００の異常により影響を受けている工程を簡単に特定することができる。また、上述した構成により、各工程毎に、それぞれの工程で用いられる液体移送管Ｌａ、気体移送管Ｌｂ、及びバルブＢ等の異常を確認することができる。さらに、液送回路１０１において、予め定められた液体移送管Ｌａ、気体移送管Ｌｂ、及びバルブＢ等からなるユニット毎に異常を確認することもできる。
【００５４】
また、装置の異常により全て又はほぼ全ての工程が影響を受けている場合は、ポンプＰの劣化が原因であると推定することで、ポンプＰの劣化を簡単に気づくこともできる。
【００５５】
さらに、各工程において、圧力調整機構７によりセル内の圧力を調整しながら、各バルブＢの開閉状態の切り替えることで、一の箇所から他の箇所に各種液体を容易に移送することができる。
【００５６】
また、制御部８１及び分析部８２を有しているので、サンプル液を希釈セル１２に注入して分析を開始してから、サンプル液に含まれる対象成分の濃度を求めて、分析終了後に最終液を廃液するまでの工程を自動化することができる。
【００５７】
次に、第２実施形態について説明する。
【００５８】
第２実施形態の液体分析装置は、制御部が、各バルブを閉じた状態でポンプによって所定の圧力を印加し、その後、各バルブを順次開閉する検査工程を行うものであって、前記検査工程中の実圧力データを出力する検査出力部を更に備えている。
【００５９】
より詳細には、制御部は、前記検査工程において、液送回路の全てのバルブを閉じた状態においてポンプを用いて気体移送管に所定の圧力を印加し、その後、予め定めた複数のバルブを、所定の順番で開閉制御するものである。
【００６０】
予め定めた複数のバルブは、本実施形態では、各バルブが直列に接続された直列バルブ群及び各バルブが並列に接続され並列バルブ群である。
【００６１】
前記直列バルブ群に対しては、制御部は、ポンプに近いバルブから遠いバルブに向かって順次閉状態から開状態に切り替えていくように設定されている。
【００６２】
前記並列バルブ群に対しては、制御部は、所定の順番で順次閉状態から開状態に切り替えていくように設定されている。なお、並列バルブ群のうち１つのみが開状態となるように、各バルブを順次開閉制御しても良い。
【００６３】
検査出力部は、検査工程の実圧力データ及び検査工程の基準圧力データを例えば、ディスプレイ等に比較可能に表示するように構成されている。
【００６４】
より具体的には、前記第１実施形態の比較出力部と同様、検査出力部は、同一のグラフ上に実圧力データ及び基準圧力データを表示するように構成されている。
【００６５】
上述した構成により、検査工程中の実圧力データと基準圧力データとを比較することにより、各バルブ及び各バルブに接続されている液体移送管や気体移送管それぞれに対して異常が発生していないかを確認することができ、異常の発生原因をより確実に特定することができる。
【００６６】
その他の実施形態について説明する。
【００６７】
例えば、前記実施形態では、比較出力部が、実圧力データ及び基準圧力データを同一のグラフ上に表示するものであったが、例えば、ディスプレイ上に数値で表示するものや、プリンターによって紙面に出力するものや、別のパソコン等に送信するものであっても良い。
【００６８】
実圧力データ記憶部は、所定の内部メモリに記憶した実圧力データを、液体分析装置に着脱可能に設けられた例えばＳＤカード、ＵＳＢメモリ等の外部メモリに保存して、この保存データをユーザ又は管理者が任意の場所でディスプレイ等に表示して確認するようにしてもよい。
【００６９】
また、基準圧力データ記憶部は、前記実施形態では、一連の工程を複数回行った際の基準圧力データを記憶しているものであったが、サンプル注入ステップから廃液ステップまでの基準圧力データを１サイクルの基準単位データとして記憶しているものであっても良い。
【００７０】
さらに、基準圧力データ記憶部は、圧力センサからの信号を受信して、圧力センサで検出された根元管部の内部圧力を予め定められた期間遡って記憶しているものであっても良い。
【００７１】
また、比較出力部により比較可能に出力された実圧力データ及び基準圧力データに基づいて、実圧力データと基準圧力データとの圧力値が所定の値以上の差を有するときに、異常と判断し、例えば、ディスプレイ上に異常告知マークを表示させる異常判断部としての機能を情報処理装置に更に具備させても良い。
【００７２】
また、複数のボタンを具備し、各ボタンを選択することによりディスプレイ上のグラフを切り替えることで、各ボタンに応じて定められたユニット毎に異常を確認できるように構成されていても良い。
【００７３】
サンプル液に含まれる分析対象としては、前記実施形態では、窒素及びリンであったが、その他の成分を分析対象としても良い。
【００７４】
また、圧力調整機構は、空気以外の気体を圧送又は吸引することで、各種液体を移送させるものであっても良い。
【００７５】
その他、本発明は前記実施形態に限られず、その趣旨を逸脱しない範囲で種々の変形が可能であるのは言うまでもない。
【符号の説明】
【００７６】
１００  ・・・液体分析装置
７      ・・・圧力調整機構
Ｌａ    ・・・液体移送管
Ｌｂ    ・・・気体移送管
Ｂ      ・・・バルブ
１２    ・・・希釈セル
１３    ・・・サンプル計量セル
７１    ・・・圧力センサ
Ｐ      ・・・ポンプ
８１    ・・・制御部
８２    ・・・分析部
８３    ・・・実圧力データ記録部
８４    ・・・基準圧力データ記憶部
８５    ・・・比較出力部
【図１】
2015025794.tif 000003
【図２】
2015025794.tif 000004
【図３】
2015025794.tif 000005
【図４】
2015025794.tif 000006